(57)【要約】【課題】ハンドルの操作性・安全性を向上させた蓋付き機器を提供することを目的とする。【解決手段】ハンドル１２１を蓋３に回動自在に軸支するとともに、ハンドル１２１はその操作時にフック部１４１が機器本体１のフック支持部１８１を係合保持する構成としたものである。これによって、蓋３に機器本体１の重量負荷がかからず、ハンドル１２１の軸支位置が高く、ハンドルの操作性が向上するとともに、ハンドル操作時には蓋３が開くことがなく、安全性も向上し、機器本体を持ち運ぶことができる。【選択図】図１
2005348917.tif 000002
【特許請求の範囲】
【請求項１】
機器本体と、前記機器本体の上面開口部を開閉自在に覆う蓋と、前記機器本体の持ち運び用のハンドルとを備え、前記ハンドルは、前記蓋に回動自在に軸支するとともにハンドル操作時に蓋の軸支部以外で前記機器本体を保持する構成とした蓋付き機器。
【請求項２】
ハンドルにフック部を設け、ハンドル操作時に前記フック部が機器本体と係合して保持するようにした請求項１に記載の蓋付き機器。
【請求項３】
蓋とハンドルとの軸支位置を相対的に移動可能とした請求項１または２に記載の蓋付き機器。
【請求項４】
ハンドルのフック部が係合する係合部を機器本体に複数個設けた請求項３に記載の蓋付き機器。
【請求項５】
機器本体と、前記機器本体の上面開口部を開閉自在に覆う蓋と、前記機器本体の持ち運び用のハンドルとを備え、前記ハンドルは、前記機器本体に回動自在に軸支するとともに機器本体とハンドルとの軸支位置を相対的に移動可能とした蓋付き機器。
【発明の詳細な説明】
【技術分野】
【０００１】
本発明は、炊飯器、保温器、ジャーポットなどの蓋付き機器に関するものである。
【背景技術】
【０００２】
従来、この種の蓋付き機器において、機器本体を持ち運ぶためのハンドルは、機器重量と内容物重量を保持する強度が必要なため、安全性を配慮して蓋ではなく機器本体に軸支されているものである（例えば、特許文献１参照）。
【特許文献１】特開２００２−３００９６２号公報
【発明の開示】
【発明が解決しようとする課題】
【０００３】
しかしながら、前記従来の構成では、操作性向上のため蓋に操作表示部を備えるなどして蓋が大型化し機器の重心位置が高くなっているが、ハンドルの軸支位置は機器本体に限られ、ハンドルにより機器を持ち上げた時、機器のふらつきなどが発生する場合があった。また、ハンドルを機器本体の後方に倒した時、ハンドルが操作表示部を備え大型化した蓋の後方に隠れてしまい、ハンドルの扱いがやりにくい場合があった。さらに、ハンドルを持って機器本体を運んでいる時に、使用者の体や周辺の家財に蓋フックボタンが触れてしまい、不用意に蓋を開放させてしまう場合があった。
【０００４】
本発明は、前記従来の課題を解決するもので、ハンドルの操作性・安全性を向上させた蓋付き機器を提供することを目的とする。
【課題を解決するための手段】
【０００５】
前記従来の課題を解決するために、本発明の蓋付き機器は、ハンドルを蓋に回動自在に軸支するとともにハンドルはその操作時に蓋の軸支部以外で機器本体を保持する構成としたものである。
【０００６】
これによって、蓋に機器本体の重量負荷がかからず、ハンドルの軸支位置が高く、ハンドルの操作性が向上するとともに、ハンドル操作時には蓋が開くことがなく、安全性も向上し、機器本体を持ち運ぶことができる。
【発明の効果】
【０００７】
本発明の蓋付き機器は、ハンドルの操作性・安全性を向上させることができる。
【発明を実施するための最良の形態】
【０００８】
第１の発明は、機器本体と、前記機器本体の上面開口部を開閉自在に覆う蓋と、前記機器本体の持ち運び用のハンドルとを備え、前記ハンドルは、前記蓋に回動自在に軸支するとともにハンドル操作時に蓋の軸支部以外で前記機器本体を保持する構成とした蓋付き機器とすることにより、蓋に機器本体の重量負荷がかからず、ハンドルの軸支位置が高く、ハンドルの操作性が向上するとともに、ハンドル操作時には蓋が開くことがなく、安全性も向上し、機器本体を持ち運ぶことができる。
【０００９】
第２の発明は、特に、第１の発明において、ハンドルにフック部を設け、ハンドル操作時に前記フック部が機器本体と係合して保持するようにしたことにより、フック部と機器本体の係合で機器本体の重量負荷を保持することとなり、蓋に重量負荷がかかることがなく、また、蓋はハンドルの軸支部で機器本体に固定された状態となり、ハンドルの操作性・安全性を向上させることができる。また、圧力炊飯など蓋に開放応力が働く場合にも、ハンドルにより蓋を閉状態で保持しているので、蓋のフックボタンやヒンジ部にかかる負荷をハンドルのフック部で保持することにより低減でき、蓋の変形も低減することができる。
【００１０】
第３の発明は、特に、第１または第２の発明において、蓋とハンドルとの軸支位置を相対的に移動可能としたことにより、ハンドルを機器本体の後方に倒して収納する際、ハンドルのアームが長く機器本体の後方に大きくはみ出す場合にはアーム長さを縮小しながらハンドルを後方に倒すことができ、ハンドルの収納域が小さくなり、機器本体の設置面積を小さくすることが可能となる。また、ハンドルのアームが短く、機器本体の後方まで回り込まない場合には、ハンドルを機器本体の後方に倒す際、アーム長さを延長しながら後方に倒すことにより、機器本体の後方にハンドルを収めることができる。
【００１１】
第４の発明は、特に、第３の発明において、ハンドルのフック部が係合する係合部を機器本体に複数個設けたことにより、機器本体を持ち運ぶ時のハンドル長さの調節が可能となり、使用者が個々に合ったハンドル長さを選択することにより、ハンドルの操作性を向上させることができる。
【００１２】
第５の発明は、機器本体と、前記機器本体の上面開口部を開閉自在に覆う蓋と、前記機器本体の持ち運び用のハンドルとを備え、前記ハンドルは、前記機器本体に回動自在に軸支するとともに機器本体とハンドルとの軸支位置を相対的に移動可能としたことにより、ハンドルを移動させることでその収納性を向上させることができる。
【００１３】
以下、本発明の実施の形態について、図面を参照しながら説明する。なお、この実施の形態によって本発明が限定されるものではない。
【００１４】
（実施の形態１）
図１〜図３は、本発明の実施の形態１における蓋付き機器として、炊飯器を例示したものである。
【００１５】
図に示すように、本実施の形態における蓋付き機器は、炊飯器の機器本体１と、機器本体１内に着脱自在に装備した鍋２と、前記機器本体１の上面開口部を開閉自在に覆う蓋３と、前記機器本体の持ち運び用のハンドル１２１とを備えている。
【００１６】
蓋３には、機能や動作状態を表示しかつ操作ボタン４を配置した操作表示部６を備え、機器本体１の後方に構成したヒンジ部７により開閉自在に設置されている。このヒンジ部７には、蓋３を開放方向に付勢するヒンジバネを設けており、蓋３はヒンジバネにより自動で開放する。蓋３のヒンジ部７と反対方向の機器本体１には、フックボタン１９を備え、蓋３の縁をフックボタン１９で上方より保持することにより蓋３を閉状態で保持する。さらに、蓋３の鍋２との対向面には、鍋２内を加熱する加熱板８を配置している。加熱板８には、鍋２内と蓋３とを連通する蒸気孔９を備え、蓋３には外気と蒸気孔９とを連通する蒸気筒１０を備えている。
【００１７】
前記ハンドル１２１は、手で掴む部分であるハンドル把手部１６１と、軸を構成するハンドル軸部１３１と、ハンドル把手部１６１とハンドル軸部１３１をつなぐハンドルアーム部１５１と、ハンドルアーム部１５１の先端に設けたフック部１４１により形成され、蓋３の両側に跨るようなコの字状をしている。そして、そのハンドル軸部１３１が蓋３の両側に設けた蓋係合部１１１に係合して蓋３に回動自在に軸支されている。また、フック部１４１は、ハンドル１２１を回動し起立状態にした時、機器本体１の両側面で蓋係合部１１１の下方に設けた係合部であるフック支持部１８１と係合する。このとき、蓋係合部１１１とハンドル軸部１３１には隙間を設けてあり、ハンドル１２１を上方へ引き上げた時には、ハンドル１２１はフック部１４１で機器本体１を保持する構成としている。すなわち、ハンドル１２１は、ハンドル操作時に蓋３の軸支部以外で機器本体１を保持する構成となっている。また、このハンドル１２１を起立させたときのハンドル把手部１６１の位置は、蒸気筒１０の真上にこない位置に配置している。
【００１８】
なお、蓋３の後方には、ハンドル把手部１６１を収納するハンドル収納部１７１を備えており、ハンドル１２１を機器本体１後方へ倒した時、ハンドル把手部１６１はハンドル収納部１７１に収納される。
【００１９】
以上のように構成された炊飯器について、以下その動作、作用を説明する。
【００２０】
炊飯を行う米とその米量に対応する水を鍋２入れ、機器本体１の所定の状態に内装する。操作表示部６に設けた操作ボタン４により動作開始操作をすると、炊飯工程が実施される。炊飯工程は浸水、炊き上げ、蒸らしの各工程に大分され、浸水行程では米に水を吸収させる行程であるため、鍋２内温度は４０℃〜６０℃で鍋２内の水は沸騰していないことにより蒸気は発生しない。炊き上げ、蒸らし行程では米の炊き上げにより鍋２内には蒸気が発生し、鍋２内で発生した蒸気が加熱板８の蒸気孔９から蓋３の蒸気筒１０を通り機器本体１外へ放出される。また、圧力炊飯など蓋３に大きな開放応力が働く場合には、フック部１４１をフック支持部１８１に係合させ蓋３を閉状態で保持固定することもできる。また、ご飯の保温時には、鍋２内のご飯の温度はおよそ７５℃〜５５℃で安定し温度維持しており、蒸気筒１０から機器本体１外へ蒸気はほとんど放出されることはない。
【００２１】
炊飯時および保温時のハンドル１２１の位置であるが、炊飯準備や保温時のご飯をよそう時に蓋３を開閉する操作を行うため、通常、ハンドル１２１はハンドル収納部１７１に収納された状態である。ただし、炊飯器を持ち運んだ後や圧力炊飯などの蓋３を強固に閉状態で保持する場合にはハンドル１２１を起立させ蓋３を閉状態で保持するのであるが、ハンドル１２１を起立させた状態でハンドル把手部１６１が蒸気口１０の真上にこない構成としていることにより、ハンドル把手部１６１が機器本体１より放出される蒸気により加熱され高温になり、機器本体１の持ち運び時に危険な状態になることはない。
【００２２】
次に、炊飯器を持ち運ぶ時の動作であるが、ハンドル収納部１７１に収納していたハンドル１２１を回動させ、ハンドル把手部１６１を炊飯器上方に起立させる。ここで、ハンドル軸部１３１とハンドル収納部１７１を炊飯器の上部を構成する蓋３に設けていることにより、ハンドル１２１操作においてはハンドル１２１が蓋３や機器本体１の後方に隠れることなく見やすく、ハンドル把手部１６１を掴みやすい。このハンドル１２１を回動させる動作において、フック部１４１は機器本体１の係合部であるフック支持部１８１に係合保持される。そして、ハンドル把手部１６１を持ち上方へ引き上げ炊飯器を持ち運ぶときは、炊飯器と鍋２内部のご飯の重量負荷はフック部１４１とフック支持部１８１にかかっており、蓋係合部１１１およびハンドル軸１３１の軸支部には重量負荷かかかることはない。
【００２３】
ここで、一般家庭で使用される炊飯器の炊飯容量は１０合炊きでご飯がおよそ３．５ｋｇで、炊飯器の重量を加えると１０ｋｇ程度である。この総重量は機器本体１のフック支持部１８１で支持し蓋係合部１１１に重量負荷がかからないことにより、蓋３を閉状態に保持するヒンジ部７およびフックボタン１９はヒンジバネの蓋３開放方向への付勢力に耐える構成であればよく、簡素でコンパクトな形状にすることができる。また、ハンドル１２１を起立させているときは、フック部１４１とフック支持部１８１が係合していることにより蓋３は開くことがないため、炊飯器を持ち運んでいるときに振動や体あるいは家財にフックボタン１９が触れて蓋３の閉保持を解除してしまい蓋３が開いてしまうなどの危険が発生することがなく、安全に炊飯器を持ち運ぶことができる。さらに、ハンドル１２１がフック支持部１８１と蓋係合部１１１の２か所の支持ポイントで固定されることにより、持ち運んでいるときの振動により炊飯器が振れることなく安定して持ち運ぶことができる。
【００２４】
以上のように、本実施の形態においては、ハンドル１２１を起立させ炊飯器を持ち上げたとき、ハンドル１２１を回動自在に係合保持している蓋３ではなく鍋２を収納している機器本体１で炊飯器と鍋２内ご飯を支持する構成とすることにより、ハンドル１２１を蓋３に係合させることが可能となり、ハンドル１２１を高い位置に配置しハンドル１２１の操作性を向上させることができる。
【００２５】
また、本実施の形態においては、ハンドル１２１に回動軸であるハンドル軸部１３１を設けた構成としたが、回動軸はハンドル１２１に限るものではなく、蓋３に回動軸を設けハンドル１２１と係合しハンドル１２１を保持する構成としても、ハンドル１２１は回動自在で持ち運び時に蓋３に炊飯器の重量負荷なく操作できることにより、同様の効果が得られるものである。
【００２６】
また、ハンドル１２１を起立させたときにフック部１４１がフック支持部１８１に係合するとしたが、フック部１４１がフック支持部１８１に係合することはハンドル１２１を起立させたときに限るものではなく、ハンドル軸部１３１と蓋係合部１１１の位置とフック部１４１とフック支持部１８１の配置により、ハンドル１２１が起立ではなく斜め上方に傾斜した状態で炊飯器を持ち運ぶ構成としても、同様の効果が得られるものである。
【００２７】
また、蓋３はヒンジ部７で軸支されヒンジバネで開放方向に付勢されている構成としたが、蓋３は開放方向への付勢やヒンジ部７に軸支されていることの有無に関わらず、鍋２の上面を覆う構成でハンドル１２１を軸支し、持ち運び時に機器本体１に係合し蓋３に負荷のかからない構成であればよいものである。
【００２８】
また、ハンドル１２１は蓋３の後方に設けたハンドル収納部１７１にハンドル把手部１６１を収納する構成としたが、ハンドル把手部１６１はハンドル収納部１７１に収納することに限るものではなく、ハンドル把手部１６１を蓋３天面上に置いたり、蓋３天面上に浮遊させ配置したりしても、蓋３開閉操作に支障なく炊飯器持ち運び時に蓋３に負荷のかからない構成であれば同様の効果が得られるものである。
【００２９】
また、ハンドル１２１は蓋３の後方に設けたハンドル収納部１７１に収納するとしたが、ハンドル収納部１７１は蓋３の後方に設けることに限るものではなく、蓋３の前方にハンドル収納部１７１を設けても、ハンドル１２１は蓋３に係合していることにより、蓋３の開閉動作に支障なく操作することができることにより、ハンドル１２１をさらに操作しやすくすることができるものである。
【００３０】
なお、蓋付き機器として、炊飯器を例示したが、これに限らず保温器、ジャーポットなどの機器であっても同様である。
【００３１】
（実施の形態２）
図４、図５は、本発明の実施の形態２における蓋付き機器として、炊飯器を例示したものである。炊飯器の基本構成は実施の形態１と同様であるので、相違箇所である蓋係合部分とハンドルとフック支持部分について説明する。
【００３２】
蓋３の両側面には側方に突出した軸を有する蓋係合部１１２を設け、この軸係合部１１２に、ハンドル１２２が回動自在に軸支されている。ハンドル１２２は、手で掴む部分であるハンドル把手部１６２と、蓋係合部１１２の軸と収納し凹形状のレール２１２を形成したハンドル軸部１３２と、ハンドル把手部１６２とハンドル軸部１３２つなぐハンドルアーム部１５２と、ハンドルアーム部１５２の先端に設けたフック部１４２により形成されている。
【００３３】
このとき、蓋係合部１１２とハンドル軸部１３２であるが、ハンドル軸部１３２が凹形状のレール２１２を形成していることにより、ハンドル１２２は蓋係合部１１２の軸に対しハンドル軸部１３２のレール２１２形成範囲内で配置を移動することができる。機器本体１の両側面で蓋係合部１１２の下方にはフック支持部１８２を備えており、ハンドル１２２を回動し起立状態にした時ハンドル１２２のフック部１４２がフック支持部１８２に係合保持される構成となっている。また、このハンドル１２２を起立させたときのハンドル把手部１６２の位置は、蒸気筒１０の真上にこない位置に配置している。
【００３４】
以上のように構成された炊飯器について、以下その動作、作用を説明する。炊飯・保温の動作については実施の形態１と同様であり、このときのハンドル１２２は機器本体１後方に回動させることにより蓋３に設けたハンドル収納部１７２に収納することができる。ここで、炊飯器の外形や機器本体１に対する鍋２や内部の構造物の配置により炊飯器の重心の位置が決まり、炊飯器の重心の位置と炊飯器の外形によるハンドル１２２の使いやすさによりハンドル１２２の形状や蓋係合部１１２とフック支持部１８２の位置が決まる。
【００３５】
このときに、図に示しているように、ハンドル把手部１６２がハンドル収納部１７２から外方にはみ出したり、またはハンドル収納部１７２に届かなかったりなどしてハンドル収納部１７２に収納できない場合が発生する。しかしながら、ハンドル軸部１３２に凹形状のレール２１２を形成しハンドル１２２を蓋係合部１１２上で移動可能としていることにより、ハンドルアーム部１５２が大きくハンドル収納部１７２に収まらない場合には、ハンドル１２２を蓋３の前方に引き寄せハンドル収納部１７２に収納することが可能となり、またハンドルアーム部１５２が小さくハンドル収納部１７２に届かず蓋３上に乗り上げてしまう場合には、ハンドル１２２を蓋３の後方へ押し出しハンドル収納部１７２に収納することが可能となり、ハンドル１２２の収納性が向上し、炊飯器の設置面積を小さく簡素に配置することが可能になる。
【００３６】
以上のように、本実施の形態においては、蓋３とハンドル１２２との軸支位置を相対的に移動可能としたことにより、ハンドル１２２を自在に収納することが可能となり、収納性を向上させることができる。
【００３７】
また、本実施の形態においては、ハンドル軸部１３２に凹形状のレール２１２を形成した構成としたが、長孔構成としてもよい。また、蓋３に係合されたハンドル１２２において軸支位置を相対的に移動可能としたことによりハンドル１２２の収納性を向上させるとしたが、ハンドルを移動させハンドルの収納性を向上させることは、ハンドルの係合保持を蓋３に限るものではなく、ハンドルを機器本体１に係合保持した構成においても同様の効果が得られるものである。
【００３８】
（実施の形態３）
図６は、本発明の実施の形態３における蓋付き機器として、炊飯器を例示したものである。炊飯器の基本構成は実施の形態２と同様であり、相違箇所であるフック支持部分について説明する。
【００３９】
機器本体１の両側方でハンドル１２３を係合保持する蓋係合部１１３の下方に配置しているフック支持部１８３を、上下に複数段（実施の形態では２段）配置した構成としている。
【００４０】
以上のように構成された炊飯器について、以下その動作、作用を説明する。炊飯・保温の動作およびハンドルの収納については実施の形態１、２と同様であり、ハンドル１２３を起立させフック部１４３をフック支持部１８３に係合させることにより蓋３に重量負荷を加えることなく炊飯器を持ち運ぶことができる。ここで、ハンドル１２３は蓋係合部１１３上で移動が可能なことにより、フック部１４３も移動が可能であり、フック部１４３はフック支持部１８３に合わせることが可能であり、フック支持部１８３を複数段設けていることにより、ハンドル１２３を起立させたときのハンドル高さを複数選択することができる。ハンドル高さを選択することが可能となることにより、炊飯器の使用環境や炊飯器使用者の体格に合ったハンドル高さを使用者が選択することができる。このことにより炊飯器を持ち運びやすくなる。
【００４１】
以上のように、本実施の形態においては、ハンドル１２３のフック部１４３が係合する係合部を機器本体１に複数個設けたことにより、機器本体１を持ち運ぶ時のハンドル長さの調節が可能となり、使用者が個々に合ったハンドル長さを選択することにより、ハンドルの操作性を向上させることができる。
【００４２】
また、本実施の形態においては、フック支持部１８３を上下２段としたが、フック支持部１８３は上下２段に限るものではなく、また、鍋２内のご飯の量によって炊飯器の重心位置が変わる場合もあるため、フック支持部１８３の配置は機器本体１側面の上下や前後に複数配置することにより、さらに炊飯器を持ち運ぶときの操作性を向上させることができるものである。
【産業上の利用可能性】
【００４３】
以上のように、本発明にかかる蓋付き機器は、ハンドルの操作・収納性を向上させることが可能となるので、家庭用および業務用の炊飯器はもとより、保温器、ジャーポットなどの機器としても有用である。
【図面の簡単な説明】
【００４４】
【図１】本発明の実施の形態１における蓋付き機器である炊飯器の斜視図
【図２】同炊飯器のハンドル収納時を示す斜視図
【図３】同炊飯器の蓋開放時を示す斜視図
【図４】本発明の実施の形態２における蓋付き機器である炊飯器の斜視図
【図５】同炊飯器の他の使用状態を示す斜視図
【図６】本発明の実施の形態３における蓋付き機器である炊飯器の斜視図
【符号の説明】
【００４５】
１  機器本体
３  蓋
１１１  蓋係合部
１２１、１２２、１２３  ハンドル
１３１、１３２、  ハンドル軸部
１４１、１４２、１４３  フック部
１８１、１８２、１８３  フック支持部
【図１】
2005348917.tif 000003
【図２】
2005348917.tif 000004
【図３】
2005348917.tif 000005
【図４】
2005348917.tif 000006
【図５】
2005348917.tif 000007
【図６】
2005348917.tif 000008